(57)【要約】【課題】  潜熱を回収するときに生成される凝縮水を中和した中和排水を適切な場所に、且つ、適切なタイミングで排出させることを可能とした熱源システムを提供する。【解決手段】  燃焼用バーナｇ１，ｇ２の燃焼排気における潜熱を用いて被加熱流体を加熱する潜熱回収型熱交換器Ｎ２と、潜熱回収型熱交換器にて潜熱を回収するときに生成される凝縮水を中和し中和排水を貯留部９ａにおいて貯留する中和器９とが設けられ、貯留部９ａから浴室の洗い場に中和排水を排出する排出手段４３と、浴室に対応して設置された浴室対応設置機器の動作状況に基づいて、中和排水を排出してもよいタイミングであるか否かを判定する排出タイミング判定手段１００と、排出タイミング判定手段１００の判定結果に基づいて、中和排水を貯留部に貯留する貯留状態と中和排水を洗い場に排出する排出状態とに排出手段４３を切換制御する排出制御手段１０１とが設けられる。【選択図】        図１
2006125805.tif 000002
【特許請求の範囲】
【請求項１】
燃焼用バーナの燃焼排気における潜熱を用いて被加熱流体を加熱する潜熱回収型熱交換器と、前記潜熱回収型熱交換器にて潜熱を回収するときに生成される凝縮水を中和し、中和排水を貯留部において貯留する中和器とが設けられている熱源システムであって、
前記貯留部から浴室の洗い場に前記中和排水を排出する排出手段と、
前記浴室に対応して設置された浴室対応設置機器の動作状況に基づいて、前記中和排水を排出してもよいタイミングであるか否かを判定する排出タイミング判定手段と、
前記排出タイミング判定手段の判定結果に基づいて、前記中和排水を前記貯留部に貯留する貯留状態と、前記中和排水を前記洗い場に排出する排出状態とに前記排出手段を切換制御する排出制御手段とが設けられている熱源システム。
【請求項２】
前記排出タイミング判定手段が、前記浴室対応設置機器としての、前記浴室内で湯水を使用するときの湯水使用機器が動作していると判定したときに、前記中和排水を排出してもよいタイミングであると判定する請求項１記載の熱源システム。
【請求項３】
前記排出タイミング判定手段が、前記浴室対応設置機器としての、前記浴室内において湯水を使用せず動作する湯水非使用機器が動作していると判定したときに、動作開始後の設定期間を、前記中和排水を排出するタイミングであると判定する請求項１又は２記載の熱源システム。
【請求項４】
前記浴室対応設置機器が浴室暖房乾燥機であり、
前記排出タイミング判定手段が、前記浴室暖房乾燥機が作動していないとき、あるいは、前記浴室暖房乾燥機が作動していないとき及び前記浴室暖房乾燥機の作動開始後において設定時間経過したときを、前記中和排水を排出するタイミングであると判定する請求項１記載の熱源システム。
【請求項５】
前記排出タイミング判定手段が、前記浴室対応設置機器として、前記浴室暖房乾燥機以外の機器で、前記浴室内での入浴に使用する機器が動作しているときには、前記中和排水を排出するタイミングであると判定する請求項４記載の熱源システム。
【請求項６】
前記浴室対応設置機器が浴室暖房乾燥機であり、
前記排出タイミング判定手段が、前記浴室暖房乾燥機の動作状態に基づいて、前記浴室暖房乾燥機の作動開始後の設定期間を、前記中和排水を排出するタイミングであると判定する請求項１記載の熱源システム。
【請求項７】
前記浴室対応設置機器が浴室暖房乾燥機であり、
前記排出タイミング判定手段が、
前記浴室暖房乾燥機の動作状態及び前記貯留部における中和排水が満杯あるいはそれに近い状態を満杯状態であると検出する満杯検出手段の検出情報に基づいて、
前記貯留部が満杯でないときには、前記浴室暖房乾燥機が作動していないとき及び前記浴室暖房乾燥機の作動開始後において設定時間経過したときを、前記中和排水を排出するタイミングであると判定し、且つ、前記貯留部が満杯であるときには、前記浴室暖房乾燥機の作動開始後の設定期間を、前記中和排水を排出するタイミングであると判定する請求項１記載の熱源システム。
【請求項８】
燃焼用バーナの燃焼排気における潜熱を用いて被加熱流体を加熱する潜熱回収型熱交換器と、前記潜熱回収型熱交換器にて潜熱を回収するときに生成される凝縮水を中和し、中和排水を貯留部において貯留する中和器とが設けられている熱源システムであって、
前記洗い場における人の不在時期を設定する不在時期設定手段と、前記中和排水を排出してもよいタイミングであるか否かを判定する排出タイミング判定手段とが設けられ、
前記排出タイミング判定手段が、前記不在時期設定手段の設定結果に基づいて、前記不在時期であるときに前記中和排水を排出するタイミングであると判定するように構成されている熱源システム。
【請求項９】
前記浴室内で湯水を使用するときに動作する湯水使用機器の動作状態を監視可能な湯水使用機器監視手段が設けられ、
前記不在時期設定手段が、前記湯水使用機器監視手段によって監視された過去の前記湯水使用機器の時系列的な動作状態に基づいて、前記湯水使用機器の動作頻度が低い時期を前記不在時期に設定する請求項８記載の熱源システム。
【発明の詳細な説明】
【技術分野】
【０００１】
本発明は、燃焼用バーナの燃焼排気における潜熱を用いて被加熱流体を加熱する潜熱回収型熱交換器と、前記潜熱回収型熱交換器にて潜熱を回収するときに生成される凝縮水を中和し、中和排水を貯留部において貯留する中和器とが設けられている熱源システムに関する。
【背景技術】
【０００２】
上記構成の熱源システムは、燃焼用バーナの燃焼排気における潜熱を用いて被加熱流体を加熱する潜熱回収型熱交換器を用いることで被加熱流体を加熱するときの熱効率を向上することができるようにしたものである。そして、このような熱源システムにおいては、潜熱回収型熱交換器にて潜熱を回収するときに生成された凝縮水が中和器にて中和されてその中和排水が貯留されるので、このような中和排水を外部に排出させる必要がある。そして、この中和排水を外部に排出させるための構成として、従来では、次のように構成したものがあった。
【０００３】
すなわち、前記貯留部に貯留されている中和排水を、前記貯留部から自然流下によって送り出すか、あるいは、排出ポンプにより強制的に送り出して、ドレン排水管を通して浴室内において浴槽が設置される防水床の上にそのまま排出させ、防水床に形成された排出口から外部に排出させる構成となっている。そして、前記中和排水を排出させるタイミングとしては、自然流下によって排出する場合には貯留部にて貯留される中和排水の量が設定量を越えると自然に排出し、又、排出ポンプにより強制的に送り出して排出させる場合においては、貯留部に設けられた水位センサにて中和排水の貯留状態を検出して、中和排水の貯留量が多くなると排出するようにしている（例えば、特許文献１参照。）。
【０００４】
【特許文献１】特開２００３−１５６２５６号公報
【発明の開示】
【発明が解決しようとする課題】
【０００５】
ところで、浴室内において浴槽が設置される上記したような防水床は、入浴しているときには多くの水分が流動して通過していくが、入浴が終了した後においては浴室内から水分が流出することはないので、入浴が終了した後に、ある程度の時間が経過すると防水床の表面は乾燥状態となるものである。しかしながら、上記従来構成のように、熱源システムにおいて発生して貯留部に貯留されている中和排水を前記防水床に排出させるようにすると、例えば、熱源システムの使用状況によっては上述したような中和排水の発生量が多くなり、入浴が終了した後において防水床が乾燥していると想定される時間帯においても、前記防水床に中和排水を排出させることがある。そうすると、防水床の表面が濡れている時間が多くなり、それだけ湿気が多くなりカビが発生するおそれがある。
【０００６】
そこで、このような不利を回避するために、前記中和排水を上記したような浴槽下の防水床ではなく、浴室の洗い場に設けられた排水口の近くに排出させるようにすることが考えられる。つまり、浴室の洗い場は、水分が排出し易いように構成されているものであり、しかも、最近では、水分が速く乾燥し易いものとなるように特殊な加工処理を施した床材を使用して水分が比較的短時間で乾燥し易い構成となっているものもあり、上記したような中和排水を排出させるようにしても乾燥させ易いものにできる。
【０００７】
しかしながら、上述したように中和排水を浴室の洗い場に排出させる場合に、前記貯留部にて貯留される中和排水の量が設定量を越えるとすぐに排出させるような構成にしておくと、そのとき、使用者が入浴している時間帯であれば、洗い場に中和排水が排水されていても問題はないが、使用者が入浴時間帯以外の時間帯に浴室内に入室してきたときに、中和排水が排水されて浴室の洗い場が濡れた状態となっており、使用者が足が濡れて嫌な思いをしたり、故障による水漏れであると誤判断する等のおそれもある。例えば、最近では、浴室内を暖房したり、浴室内で洗濯物を乾燥させるために浴室暖房乾燥機が設けられることがあるが、このような浴室暖房乾燥機が設けられるような場合には、入浴時間帯以外の時間帯に浴室内に洗濯物を干したりあるいは乾燥した洗濯物を回収するために浴室に入室することがある。
【０００８】
本発明の目的は、潜熱を回収するときに生成される凝縮水を中和した中和排水を適切な場所に、且つ、適切なタイミングで排出させることを可能とした熱源システムを提供する点にある。
【課題を解決するための手段】
【０００９】
本発明の第１特徴構成は、燃焼用バーナの燃焼排気における潜熱を用いて被加熱流体を加熱する潜熱回収型熱交換器と、前記潜熱回収型熱交換器にて潜熱を回収するときに生成される凝縮水を中和し、中和排水を貯留部において貯留する中和器とが設けられている熱源システムであって、前記貯留部から浴室の洗い場に前記中和排水を排出する排出手段と、前記浴室に対応して設置された浴室対応設置機器の動作状況に基づいて、前記中和排水を排出してもよいタイミングであるか否かを判定する排出タイミング判定手段と、前記排出タイミング判定手段の判定結果に基づいて、前記中和排水を前記貯留部に貯留する貯留状態と、前記中和排水を前記洗い場に排出する排出状態とに前記排出手段を切換制御する排出制御手段とが設けられている点にある。
【００１０】
第１特徴構成によれば、潜熱回収型熱交換器にて潜熱を回収するときに生成される凝縮水が、中和器により中和されてその中和された中和排水が貯留部において貯留される。そして、貯留部に貯留されている中和排水が排出手段により浴室の洗い場に排出されることになる。浴室の洗い場は入浴時には多くの水分を流す場所であるから防水性も良好であり、乾燥し易い材質のもので構成されるから中和排水を排出させるようにしても、水分が長く残りカビが発生するおそれは少ない。
【００１１】
そして、排出タイミング判定手段が、浴室に対応して設置された浴室対応設置機器の動作状況に基づいて、前記中和排水を排出してもよいタイミングであるか否かを判定して、その判定結果に基づいて、中和排水を排出してもよいタイミングであれば排出制御手段が中和排水を洗い場に排出させるように排出手段を切換制御することになる。
【００１２】
説明を加えると、浴室に対応して設置された浴室対応設置機器としては、浴室内で湯水を使用するときの湯水使用機器や浴室内の暖房や乾燥を行うための浴室暖房乾燥機等がある。このような浴室対応設置機器の動作状況から、洗い場に中和排水を排出してもよいタイミングであるか否かを判定することができるのである。例えば、浴室対応設置機器の動作状況から、浴室使用者が入浴していることが想定されるような状況であったり、あるいは浴室に人が入室することがないと想定される状況であれば、洗い場に中和排水を排出してもよいタイミングであると判定することができる。
【００１３】
このように浴室に対応して設置された浴室対応設置機器の動作状況に基づいて、中和排水を排出してもよいタイミングであるか否かを判定して、洗い場が濡れても問題がない状況となっている適切なタイミングで中和排水を洗い場に排出させることができるのである。
【００１４】
従って、潜熱を回収するときに生成される凝縮水を中和した中和排水を適切な場所に、且つ、適切なタイミングで排出させることが可能となる熱源システムを提供できるに至った。
【００１５】
本発明の第２特徴構成は、第１特徴構成に加えて、前記排出タイミング判定手段が、前記浴室対応設置機器としての、前記浴室内で湯水を使用するときの湯水使用機器が動作していると判定したときに、前記中和排水を排出してもよいタイミングであると判定する点にある。
【００１６】
第２特徴構成によれば、前記浴室対応設置機器としての、前記浴室内で湯水を使用するときの湯水使用機器が動作していると判定したときに、前記中和排水を排出してもよいタイミングであると判定することになる。前記湯水使用機器としては、例えば、浴槽に対する湯張りや洗い場に設けられた給湯栓から給湯を行うような浴室用の給湯手段があるが、この浴室用の給湯手段が、浴槽に対する湯張りを行っているとき、洗い場に設けられた給湯栓やシャワーか出湯しているとき等には、浴室使用者がこれから入浴しようとしているか又は入浴中であるから、洗い場が濡れても問題ないので中和排水を排出してもよいと判断することができる。又、浴室用の給湯手段が、浴槽内部の湯量が目標水位になるように自動で湯張りを行い且つ浴槽内の湯の温度を適温適量に保つ自動運転を実行するものであれば、そのような自動運転の実行が指令された場合、あるいは、追焚や足し湯が指令されたとき、更には、浴槽の水が排出されているとき等においても、中和排水を排出してもよいタイミングであると判定することができる。
このようにして湯水使用機器の動作状態に基づいて中和排水を排出するタイミングであるか否かを適切に判定することができ、請求項１を実施するのに好適な手段が得られる。
【００１７】
本発明の第３特徴構成は、第１特徴構成又は第２特徴構成に加えて、前記排出タイミング判定手段が、前記浴室対応設置機器としての、前記浴室内において湯水を使用せず動作する湯水非使用機器が動作していると判定したときに、動作開始後の設定期間を、前記中和排水を排出するタイミングであると判定する点にある。
【００１８】
第３特徴構成によれば、前記浴室内において湯水を使用せず動作する湯水非使用機器が動作していると判定したときに、動作開始後の設定期間を中和排水を排出するタイミングであると判定することになる。浴室内において湯水を使用せず動作する湯水非使用機器としては、浴室に設けられた換気扇や照明用の電灯等が代表的なものである。
【００１９】
例えば、換気扇が動作開始したときには入浴が終了した直後であると考えられるから、それから設定時間が経過するまでの間は、中和排水を排出してもよいタイミングであると判定することができる。又、電灯が点灯動作を開始したときには、これから入浴が行われるものと考えられるからそれから設定時間が経過するまでの間は、中和排水を排出してもよいタイミングであると判定することができる。このようにして湯水非使用機器の動作状態に基づいて中和排水を排出するタイミングであるか否かを適切に判定することができ、請求項１又は請求項２を実施するのに好適な手段が得られる。
【００２０】
本発明の第４特徴構成は、第１特徴構成に加えて、前記浴室対応設置機器が浴室暖房乾燥機であり、前記排出タイミング判定手段が、前記浴室暖房乾燥機が作動していないとき、あるいは、前記浴室暖房乾燥機が作動していないとき及び前記浴室暖房乾燥機の作動開始後において設定時間経過したときを、前記中和排水を排出するタイミングであると判定する点にある。
【００２１】
第４特徴構成によれば、浴室暖房乾燥機が作動していないときは、浴室の暖房する暖房運転や浴室を乾燥する乾燥運転等を行っていないので、浴室に人が入室することはないと考えられ、中和排水を洗い場に排出しても問題はないから、前記中和排水を排出するタイミングであると判定するのである。又、前記浴室暖房乾燥機が作動していないとき及び前記浴室暖房乾燥機の作動開始後において設定時間経過したとき、例えば、暖房運転の作動を開始してから設定時間経過したときには、入浴中であるから洗い場が濡れても問題ないと推定できるので中和排水を排出してもよいと判断することができ、又、乾燥運転を行うときには、乾燥運転の作動を開始してから設定時間経過したときには、洗濯物を干す作業や回収する作業も終了していると考えられるから中和排水を排出してもよいと判断することができる。
このようにして浴室暖房乾燥機の運転状況によって、前記中和排水を排出するタイミングであるか否かを適切に判定することができる。
【００２２】
本発明の第５特徴構成は、第４特徴構成に加えて、前記排出タイミング判定手段が、前記浴室対応設置機器として、前記浴室暖房乾燥機以外の機器で、前記浴室内での入浴に使用する機器が動作しているときには、前記中和排水を排出するタイミングであると判定する点にある。
【００２３】
第５特徴構成によれば、浴室暖房乾燥機の運転状況によって判断すると、前記中和排水を排出するタイミングではないと考えられる場合であっても、浴室内での入浴に使用する機器が動作しているときには、入浴中であり中和排水を洗い場に排出しても問題はないので中和排水を排出するタイミングであると判定するのである。
このように浴室暖房乾燥機の運転状況に加えて、浴室内での入浴に使用する機器の動作状態に基づいて中和排水を排出するタイミングを判定することで、中和排水を排出する機会をできるだけ多くさせるようにしながら、適切なタイミングで中和排水を排出させることができる。
【００２４】
本発明の第６特徴構成は、第１特徴構成に加えて、前記浴室対応設置機器が浴室暖房乾燥機であり、前記排出タイミング判定手段が、前記浴室暖房乾燥機の動作状態に基づいて、前記浴室暖房乾燥機の作動開始後の設定期間を、前記中和排水を排出するタイミングであると判定する点にある。
【００２５】
第６特徴構成によれば、浴室暖房乾燥機の作動開始後の設定期間を中和排水を排出するタイミングであると判定するのである。例えば、浴室暖房乾燥機の作動として暖房運転が指令されているときには、作動開始しているときには、人が浴室に入浴しているか又はこれから入浴しようとするときであるから、中和排水を洗い場に排出しても問題はないから中和排水を排出するタイミングであると判定するのである。又、浴室暖房乾燥機の作動として乾燥運転が指令されているときには、作動開始した直後においては、洗濯物も湿った状態となっており、中和排水を洗い場に排出しても、その後の乾燥運転によって、洗濯物と共に洗い場も合わせて乾燥させることができるから、中和排水を洗い場に排出しても問題はないから中和排水を排出するタイミングであると判定するのである。
このようにして浴室暖房乾燥機の運転状況によって、前記中和排水を排出するタイミングであるか否かを適切に判定することができる。
【００２６】
本発明の第７特徴構成は、第１特徴構成に加えて、前記浴室対応設置機器が浴室暖房乾燥機であり、前記排出タイミング判定手段が、前記浴室暖房乾燥機の動作状態及び前記貯留部における中和排水が満杯あるいはそれに近い状態を満杯状態であると検出する満杯検出手段の検出情報に基づいて、前記貯留部が満杯でないときには、前記浴室暖房乾燥機が作動していないとき及び前記浴室暖房乾燥機の作動開始後において設定時間経過したときを、前記中和排水を排出するタイミングであると判定し、且つ、前記貯留部が満杯であるときには、前記浴室暖房乾燥機の作動開始後の設定期間を、前記中和排水を排出するタイミングであると判定する点にある。
【００２７】
第７特徴構成によれば、貯留部が満杯でないときには、前記浴室暖房乾燥機が作動していないとき及び前記浴室暖房乾燥機の作動開始後において設定時間経過したときを、前記中和排水を排出するタイミングであると判定する。貯留部が満杯でなく余裕があるときには、排出処理を行わなくても貯留部に対して中和排水を更に貯留させることができる状態であるから、前記浴室暖房乾燥機が作動していないとき及び前記浴室暖房乾燥機の作動開始後において設定時間経過したときを中和排水を排出するタイミングであると判定するようにして、浴室暖房乾燥機が作動しているときや作動開始後において設定時間経過するまでの間は中和排水を洗い場に排出させないので洗い場を濡らすことがない。
【００２８】
一方、貯留部が満杯であるときには、浴室暖房乾燥機の作動開始後の設定期間を、中和排水を排出するタイミングであると判定する。貯留部が満杯でありこれ以上中和排水を貯留させる余裕がないときには、排出処理を行わずに中和排出の貯留を継続すると貯留部から中和排水が溢れて他の装置に悪影響を与えることになるので、中和排水を洗い場に排出しても問題ない状況であると考えられる浴室暖房乾燥機の作動開始後の設定期間内に、洗い場に中和排水を排出させるようにして、できるだけ排出させる機会を多くするようにしているのである。
【００２９】
従って、貯留部における中和排水の貯留状況を見ながら、そのときの貯留状況に応じてより適切なタイミングで中和排水を排出させることができる。
【００３０】
本発明の第８特徴構成は、燃焼用バーナの燃焼排気における潜熱を用いて被加熱流体を加熱する潜熱回収型熱交換器と、前記潜熱回収型熱交換器にて潜熱を回収するときに生成される凝縮水を中和し、中和排水を貯留部において貯留する中和器とが設けられている熱源システムであって、前記洗い場における人の不在時期を設定する不在時期設定手段と、前記中和排水を排出してもよいタイミングであるか否かを判定する排出タイミング判定手段とが設けられ、前記排出タイミング判定手段が、前記不在時期設定手段の設定結果に基づいて、前記不在時期であるときに前記中和排水を排出するタイミングであると判定するように構成されている点にある。
【００３１】
第８特徴構成によれば、不在時期設定手段によって洗い場における人の不在時期を設定する。つまり、浴室を使用しないと想定されるような時間帯等を洗い場における人の不在時期として設定して、排出タイミング判定手段が不在時期設定手段の設定結果に基づいて、前記不在時期であるときに中和排水を排出するタイミングであると判定するので、そのように不在時期であるとして設定された時間帯に中和排水を洗い場に排出させることになる。
【００３２】
前記不在時期について説明を加えると、例えば、深夜の午前３時頃の時間帯等の１日のうちで一般的に入浴しないと考えられるような時間帯を不在時期として設定するようにしておくと、浴室に人が入室してくるおそれが少ない時間帯を選んで浴室の洗い場に中和排水を排出させるようにしたので、洗い場が濡れても問題がない状況となっている適切なタイミングで中和排水を洗い場に排出させることができる。
【００３３】
従って、潜熱を回収するときに生成される凝縮水を中和した中和排水を適切な場所に、且つ、適切なタイミングで排出させることを可能とした熱源システムを提供できるに至った。
【００３４】
本発明の第９特徴構成は、第８特徴構成に加えて、前記浴室内で湯水を使用するときに動作する湯水使用機器の動作状態を監視可能な湯水使用機器監視手段が設けられ、前記不在時期設定手段が、前記湯水使用機器監視手段によって監視された過去の前記湯水使用機器の時系列的な動作状態に基づいて、前記湯水使用機器の動作頻度が低い時期を前記不在時期に設定する点にある。
【００３５】
第９特徴構成によれば、湯水使用機器監視手段によって浴室内で湯水を使用するときに動作する湯水使用機器の動作状態を監視して、その湯水使用機器監視手段によって監視された過去の湯水使用機器の時系列的な動作状態に基づいて、湯水使用機器の動作頻度が低い時期を洗い場における人の不在時期に設定するのである。
【００３６】
説明を加えると、過去の湯水使用機器の時系列的な動作状態としては、例えば、過去の設定期間内における浴室における給湯の実行状態の履歴を計測して記憶しておき、その結果から湯水使用機器の動作頻度が最も低い時期を人の不在時期に設定することができる。
【００３７】
従って、前記不在時期として単純に予め設定した時間帯を設定する構成に比べて、実際の浴室の使用状況に対応した状態で適切に人の不在時期を設定することができ、より適切なタイミングで中和排水を洗い場に排出させることが可能となり、請求項８を実施するのに好適な手段が得られる。
【発明を実施するための最良の形態】
【００３８】
〔第１実施形態〕
以下、本発明に係る第１実施形態を図面に基づいて説明する。
図１に、本発明に係る熱源システムの一例としての給湯装置を示している。この給湯装置は、一般家庭用の水道管に接続された給水路１からの水を燃焼用バーナとしてのガス燃焼式のバーナｇ１によって加熱して、加熱後の湯水を先端に給湯栓２を備えた給湯路３に供給する給湯用動作部Ａと、浴槽５内の湯水を燃焼用バーナとしてのガス燃焼式のバーナｇ２によって加熱して追焚きする追焚用動作部Ｂとを備えている。そして、これらの給湯用動作部Ａ及び追焚用動作部Ｂはいずれも、上下２段に配置した主熱交換器Ｎ１および潜熱回収熱交換器Ｎ２を備えて構成され、潜熱回収熱交換器Ｎ２にて熱交換にされた後の燃焼排ガスは排気路７を通して外部に排出されるように構成されている。
【００３９】
前記潜熱回収熱交換器Ｎ２からは、燃焼生成水である酸性の凝縮水が生成するが、この凝縮水はドレンパン８によって集められて中和器９に一時貯留される構成となっている。そして、この中和器９は、詳述はしないが凝縮水に対して中和作用する中和剤（例えば、炭酸カルシウム）Ｃが装填されており、その中和した後の中和排水を貯留部９ａにおいて貯留する構成となっている。
【００４０】
前記給湯用動作部Ａ及び追焚用動作部Ｂには、各バーナｇ１、ｇ２に一般家庭用の燃料ガスを供給するガス供給路Ｇが接続され、燃料ガス供給量を調整する電磁式のガス比例弁１０、燃料ガスの供給断続する断続弁１１が設けられている。前記バーナｇ１、ｇ２に燃焼用空気を供給する燃焼用ファン１２も設けられ、バーナｇ１の近くには、バーナｇ１に対する点火動作を実行する点火用のイグナイタと着火されたか否かを検出するフレームロッドなどが設けられている。
【００４１】
前記給湯用動作部Ａには、給水路１と、主熱交換器Ｎ１および潜熱回収熱交換器Ｎ２を通過した後に加熱後の湯水を出湯する給湯路３とが接続され、給水路１を通して供給される被加熱流体としての水が熱交換されて所望の温度の湯水が給湯路３を通して供給されるように構成されている。
【００４２】
前記給水路１には、給水温度を検出する給水サ−ミスタ１３と給水量を検出する水量センサ１４とが設けられ、給水サ−ミスタ１３と水量センサ１４より下流側の給水路１と給湯路３とが、熱交換器Ｎ１，Ｎ２を迂回するように給水バイパス路１５を介して接続されている。さらに、給湯路３には、上流側から順に、給湯用熱交換器４からの湯水の温度を検出する給湯サ−ミスタ１６と、熱交換器からの湯量と給水バイパス路１５からの水量との混合比を調整するミキシング弁１７と、ミキシング弁１７により混合された後の湯水の温度を検出する出湯サ−ミスタ１８と、湯水の量を調整する水比例弁１９と、一般給湯の割込みを検出する割込み水量センサ２０とが設けられている。
【００４３】
前記水比例弁１９と割込み水量センサ２０との間の給湯路３には、給湯路３からの湯水を浴槽５に供給するための風呂用の湯張り路２２が分岐接続されている。前記追焚用動作部Ｂには、浴槽５からの浴槽用戻り路２３と浴槽用往き路２４が接続され、浴槽用戻り路２３と浴槽用往き路２４とが循環路として構成されている。そして、浴槽用戻り路２３と浴槽用往き路２４とは、風呂アダプタ２５を介して浴槽５に接続され、浴槽用戻り路２３に設けられた循環ポンプ２６を駆動することにより、浴槽５内の湯水を浴槽用戻り路２３と浴槽用往き路２４を介して循環させながら、追焚用動作部Ｂで追焚するように構成されている。
【００４４】
前記浴槽用戻り路２３には、上流側から順に、圧力を検出することによって浴槽５内の水位を検出する水位検出手段としての水位センサ２７と、浴槽５内の湯水の温度を検出する浴槽温検出手段としての戻りサ−ミスタ２８と、浴槽用戻り路２３を開閉する電磁式の風呂２方弁２９と、湯水循環用の循環ポンプ２６と、水流スイッチ３０とが設けられ、浴槽用往き路２４には、浴槽用の往きサ−ミスタ３１が設けられている。
【００４５】
前記風呂用の湯張り路２２は、追焚用循環ポンプ２６と水流スイッチ３０との間の浴槽用戻り路２３に接続されている。この湯張り路２２には、上流側から湯張り路２２を開閉する湯張り電磁弁３２と、湯張り逆止弁３３とが設けられている。なお、前記湯張り路２２は、水供給源からの水を浴槽５内に供給する供給路としても作用し、また、湯張り電磁弁３２は、その供給路２２を開閉する開閉弁としても作用する。
前記湯張り電磁弁３２と湯張り逆止弁３３との間の湯張り路２２には、その湯張り路２２に連通する空気層形成用ホッパ３４が介装されている。この空気層形成用ホッパ３４には、湯水を排水する排水路３５と、その排水路３５を開閉する電磁式の排水弁３６とが設けられ、排水路３５の端部が風呂２方弁２９と循環ポンプ２６との間の浴槽用戻り路２３に接続されている。
【００４６】
そして、この給湯装置の運転状態を制御する制御手段としての運転制御部Ｈ１は、マイクロコンピュ−タを備え、室内に設置されたリモコン装置Ｒ１との間で通信可能に構成されている。リモコン装置Ｒ１には、運転の開始と停止を指令する運転スイッチ３７、自動運転を指令する自動スイッチ３８、一般給湯温度を設定する温度設定スイッチ３９、浴槽５内の目標水位を設定する水位設定スイッチ４０、浴槽に追加で湯張り給湯する足し湯スイッチ４１、追焚運転を指令する追焚スイッチ４２等が設けられている。
【００４７】
前記運転制御部Ｈ１による給湯装置の制御について簡単に説明する。
運転制御部Ｈ１は、リモコン装置Ｒ１の運転スイッチ３７を操作されると制御可能な状態になり、給湯栓２が開操作されると給湯栓２から湯水を給湯する一般給湯運転制御を実行する。そして、リモコン装置Ｒ１の自動スイッチ３８が操作されると自動運転を実行する。又、足し湯スイッチ４１が操作されると足し湯運転を実行し、追焚スイッチ４２が操作されると追焚運転を実行する。
【００４８】
前記一般給湯運転は、給湯栓２を開いて水量センサ１４による検出水量が所定量以上になると、給湯用動作部Ａにおける燃焼用ファン１２を駆動した後、断続弁１１を開弁し、ガス比例弁１０の開度を調整してイグナイタによりバーナｇ１に点火し、温度設定スイッチ３９による設定温度、給水サ−ミスタ１３による検出水温、水量センサ１４による検出水量などに基づいて、ガス比例弁１０の開度が調整され、かつ、ミキシング弁１７の開度も調整されて給湯温度が設定温度になるように、燃料供給量を制御する。通水が検出されなくなると、ガス比例弁１０と断続弁１１を閉弁してバーナｇ１の燃焼を停止し、燃焼用ファン１２も停止して一般給湯運転を終了する。
【００４９】
次に、自動運転について説明する。この自動運転では、先ず、湯張り運転制御が実行される。この湯張り運転は、上述の一般給湯運転と同様にバーナｇ１に点火して燃料供給量を調整しながら浴槽５に設定温度の湯水が供給されて湯張りを行う。そして、水位センサ２７の検出水位が設定水位以上になると、バーナｇ１の燃焼を停止して湯張りを終了する。湯張りが終了すると、追焚用循環ポンプ２６を駆動させ、浴槽５内の湯水を浴槽用戻り路２３と浴槽用往き路２４などを介して循環させ、戻りサーミスタ２８の検出温度が温度設定スイッチ４２による設定温度になるように燃料供給量を制御する。戻りサ−ミスタ２８の検出温度がリモコン装置Ｒの温度設定スイッチ４２による設定温度に達すると、ガス比例弁１０と断続弁１１を閉弁させ、バーナｇ２の燃焼を停止させて、一定時間経過後に燃焼用ファン１２を停止させて追焚き運転を終了する。その後、引き続いて、設定時間の間キープ運転が実行される。このキープ運転は、浴槽５内の湯温と水位とを設定された状態にキープするように、水位センサ２７により浴槽５内の水位を検出し、この検出水位が設定水位になるように浴槽５への給湯され、追焚用循環ポンプ２６を駆動させ、浴槽５内の湯水を浴槽用戻り路２３と浴槽用往き路２４などを介して循環させ、戻りサ−ミスタ２８の検出温度が設定温度になるように給湯運転のときと同様に追焚き用動作部Ｂにおけるバーナｇ２の燃焼状態を制御する。
【００５０】
前記足し湯運転では、浴槽５の水位が設定水位になるように浴槽５に湯張り運転を実行して設定水位になると給湯を停止する。又、追焚運転では、キープ運転と同様に、追焚用循環ポンプ２６を駆動させ、浴槽５内の湯水を浴槽用戻り路２３と浴槽用往き路２４などを介して循環させ、戻りサーミスタ２８の検出温度が温度設定スイッチ４２による設定温度になるように燃料供給量を制御する。
【００５１】
そして、この給湯装置においては、潜熱回収熱交換器Ｎ２にて生成されて中和器９において、中和剤により中和し且つ貯留部９ａにて貯留されている中和排水を浴室Ｙの洗い場Ｙ１に排出する排出手段４３と、浴室Ｙに対応して設置された浴室対応設置機器の動作状況に基づいて、中和排水を排出してもよいタイミングであるか否かを判定する排出タイミング判定手段１００と、前記排出タイミング判定手段１００の判定結果に基づいて、前記中和排水を前記貯留部９ａに貯留する貯留状態と、前記中和排水を前記洗い場に排出する排出状態とに前記排出手段４３を切換制御する排出制御手段１０１とが設けられている。そして、前記排出タイミング判定手段１００が、前記浴室対応設置機器としての、前記浴室Ｙ内で湯水を使用するときの湯水使用機器が動作していると判定したときに、前記中和排水を排出してもよいタイミングであると判定する構成となっている。
【００５２】
説明を加えると、前記中和器９における貯留部９ａに貯留されている中和排水を、浴室Ｙの洗い場Ｙ１に向けて流動案内するドレン配管４４と、このドレン配管４４を通して中和排水を狂税的に排出させる排出ポンプ４５とが設けられ、このドレン配管４４と排出ポンプ４５とによって前記排出手段４３が構成されている。前記ドレン配管４４は、図２に示すように、前記浴槽用戻り路２３と浴槽用往き路２４と合わせて束ねられて、それらの合成樹脂製のチューブではシールした状態で浴槽の洗い場Ｙ１に向かうように設置される構成となっている。そして、洗い場Ｙ１における洗面用のカウンターｋｔの下方側箇所から浴室Ｙ内部に向けて開口して中和排水を洗い場Ｙ１に排出させるように構成されている。
【００５３】
そして、前記運転制御部Ｈが、浴室対応設置機器としての、前記浴室Ｙ内で湯水を使用するときの湯水使用機器、すなわち、前記給湯用動作部Ａと前記追焚用動作部Ｂの動作状況に基づいて、中和排水を排出してもよいタイミングであるか否かを判定する構成となっている。そして、運転制御部Ｈ１は、中和排水を排出してもよいタイミングであると判断すると、前記排出ポンプ４５を作動させて貯留されている中和排水をドレン配管４４を通して浴室Ｙの洗い場Ｙ１に排出させるように前記排出手段４３を切換作動する構成となっている。従って、前記運転制御部Ｈ１を利用して、前記排出タイミング判定手段１００と前記排出制御手段１０１とが構成されている。
【００５４】
次に、運転制御部Ｈ１における中和排水の排出用制御動作について説明する。
図３に示すように、運転制御部Ｈ１は、浴室Ｙ内で湯水を使用するときの湯水使用機器、すなわち、前記給湯用動作部Ａ及びそれに付随する給湯用の各装置、及び、前記追焚用動作部Ｂ及びそれに付随する追焚用の各装置等の動作状況に基づいて、浴室Ｙ内で湯水が使用されている使用状態であるか否かを判別し（ステップ１）、湯水使用状態であれば中和排水を排出してもよいタイミングであると判断して、排出処理を実行する（ステップ２、３）。この排出処理としては、中和器９の貯留部９ａに中和排水が設定量以上貯留されていることが図示しない検出センサにて検出されると排出用設定時間だけ排出ポンプ４５を作動状態に切り換えて中和器９に貯留されている中和排水を浴室Ｙの洗い場Ｙ１に排出させる（ステップ２、３）。中和器９の貯留部９ａに中和排水が貯留されていなければ、排出ポンプ４５を作動状態に切り換える必要がないので、中和排水が設定量以上貯留されているときにだけ排出させるようにしている。
【００５５】
前記浴室Ｙ内で湯水が使用されている使用状態であるか否かを判別する処理について説明を加えると、図４に示すように、前記自動スイッチ３８がオン操作されて浴槽５に湯張りが開始されてから３分経過したとき、追焚スイッチ４２がオン操作されたとき、足し湯スイッチ４１がオン操作されたときの夫々において、湯水使用状態であると判別する（ステップ４〜７、１１）。又、このようなリモコン装置Ｒ１における前記各スイッチの操作に基づくものだけでなく、水量センサ１４にて検出される単位時間あたりの給湯量が設定値以上であることが検出されたとき、給湯を継続して行う時間が設定時間（例えば、１０分間）を超えているとき、更には、前記水位センサの検出情報に基づいて浴槽５内の湯が排出されていることが検出されるときにおいても同様にして、湯水使用状態であると判別する（ステップ８〜１１）。上記した何れの条件も満たさずに判断が否であるときには、浴室Ｙで湯水を使用していない非使用状態であると判別する（ステップ１２）。そして、浴室Ｙでの湯水使用状態が判別されると中和排水を排出してもよいタイミングであると判断して中和器９に貯留されている中和排水を浴室Ｙの洗い場Ｙ１に排出させるのである。
【００５６】
〔第２実施形態〕
次に、本発明に係る第２実施形態を図面に基づいて説明する。
図５、図６に、本実施形態の熱源システムを示している。
この熱源システムは、浴室Ｙ内を空調する浴室暖房乾燥機Ｃ、及び、この浴室暖房乾燥機Ｃ並びに浴槽５に給湯する熱源機Ｄとが設けられ、浴室Ｙの天井側に設けた浴室暖房乾燥機Ｃには脱衣室等から操作する暖房乾燥機リモコンＲ２が双方向に通信可能に接続され、屋外に設けた熱源機Ｄには台所等から操作するメインリモコンＲ３と浴室Ｙ内から操作する浴室リモコンＲ４とが双方向に通信可能に接続されている。
【００５７】
図６に示すように、浴室暖房乾燥機Ｃには、この浴室暖房乾燥機Ｃの作動を制御するマイクロコンピュータを主要部とする暖房乾燥機制御部Ｈ２が備えられ、熱源機Ｄには、浴槽５や給湯栓２に給湯する給湯動作部Ｅ、浴室暖房乾燥機Ｃに熱媒としての温水を加熱して循環供給する温水循環用動作部Ｆ、浴槽５内の湯水を追焚きする追焚用動作部Ｉ、各部の作動を制御するマイクロコンピュータを主要部とする熱源機制御部Ｈ３等が備えられている。
【００５８】
前記給湯動作部Ｅ及び前記温水循環用動作部Ｆは、第１実施形態の給湯用動作部Ａ及び追焚用動作部Ｂの構成と同じように、バーナｇ１、ｇ２によって加熱される状態で上下２段に配置した主熱交換器Ｎ１および潜熱回収熱交換器Ｎ２を備えて構成され、潜熱回収熱交換器Ｎ２にて熱交換にされた後の燃焼排ガスは排気路を通して外部に排出されるように構成されている。前記潜熱回収熱交換器Ｎ２からは燃焼生成水である酸性の凝縮水が生成されるが、この凝縮水はドレンパン８によって集められて第１実施形態と同様な中和器９に一時貯留される構成となっている。
尚、前記給湯動作部Ｅの構成は第１実施形態のときと同じであるから説明は省略するが、同じ機能を有する部材には同じ符号を付す。
【００５９】
前記温水循環用動作部Ｆには、膨張タンク５０内の水を供給する温水循環用給水路５１と、加熱後の湯を供給する温水循環用給湯路５２とが接続され、この温水循環用給湯路５２を浴室暖房乾燥機Ｃに設けた乾燥暖房用熱交換器５３に接続して、その乾燥暖房用熱交換器５３により熱交換された後の湯水が、温水循環用戻り路５４を介して膨張タンク５０内に戻されるように構成されている。
【００６０】
前記温水循環用給湯路５２と温水循環用戻り路５４は、浴室暖房乾燥機Ｃを迂回する状態でバイパス路５５を介して接続され、そのバイパス路５５には、浴槽５内に追焚き用の高温水を供給する為の追焚用熱交換器５６と追焚用の熱動弁５７とが設けられている。前記温水循環用給水路５１には、膨張タンク５０内の水を吸引して温水循環用動作部Ｅに供給するとともに、加熱後の湯を浴室暖房乾燥機Ｃや追焚用熱交換器５６に供給するための循環ポンプ５８が設けられ、温水循環用給湯路５２には、加熱後の湯の温度を検出する循環温水サーミスタ５９が設けられている。
【００６１】
前記追焚用動作部Ｉは、追焚き用の熱交換器５６が液々熱交換器で構成される他は、第１実施形態と同じであるから詳細な説明は省略する。
【００６２】
前記給湯動作部Ｅ、温水循環用動作部Ｆ及び追焚用動作部Ｉは熱源機制御部Ｈ３にて制御され、浴室暖房乾燥機Ｃは暖房乾燥機制御部Ｈ２にて制御されるように構成され、熱源機制御部Ｈ３と暖房乾燥機制御部Ｈ２は双方向に通信可能に接続されている。
【００６３】
前記浴室暖房乾燥機Ｃは、図７に示すように、吸気口６０と吹出口６１を備えたケーシング６２内に、吸気口６０から浴室Ｙ内の空気を導入して吹出口６１からその浴室Ｙ内に戻す循環ファン６３と、この循環ファン６３で循環される空気を加熱する乾燥暖房用熱交換器５３とを備えた浴室空気循環路６４を設けて構成され、浴室空気循環路６４には吸気口６０から導入した空気の温度を浴室Ｙ内の現在温度として検出する温度センサ６５が設けられ、乾燥暖房用熱交換器５３への温水の供給を断続する熱動弁６６が温水循環用給湯路５２に設けられている。
【００６４】
前記浴室空気循環路６４の循環ファン６３よりも空気循環方向下手側で、かつ、乾燥暖房用熱交換器５３よりも空気循環方向上手側には、その浴室空気循環路６４の空気を屋外に排出する為の排気ダクト６７が接続され、その排気ダクト６７との接続部には、浴室空気循環路６４に導入した空気を浴室Ｙ内に戻す循環空気量と、浴室空気循環路６４に導入した空気をその途中から排気ダクト６７で屋外に排出する排出空気量との割合を変更調節可能な電動式の可動ダンパー６８が設けられている。
【００６５】
前記暖房乾燥機リモコンＲ２には、後述するような各種の運転モードを指令する指令操作具が設けられている。そして、暖房乾燥機リモコンＲ２にていずれかの運転モードが指令されると、その操作情報が熱源機制御部Ｈ３と暖房乾燥機制御部Ｈ２に送信して、熱源機Ｄと浴室暖房乾燥機Ｃの運転を操作できるように構成されている。尚、前記熱源機制御部Ｈ３における給湯運転の制御は、第１実施形態のときと同じであるからここでは説明は省略する。
【００６６】
次に、前記暖房乾燥機制御部Ｈ２の制御について説明する。すなわち、この暖房乾燥機制御部Ｈ２は、図９に示すように、運転スイッチがＯＮ操作されて動作を開始すると、暖房乾燥機リモコンＲ２に設けられた指令操作部（図示せず）にて、予備暖房運転が指令されると、熱源機制御部Ｈ３に温水を循環供給させるように温水要求を指令して予備暖房運転を実行する（ステップ２０〜２３）。乾燥運転が指令されると、熱源機制御部Ｈ３に温水を循環供給させるように温水要求を指令して乾燥運転を実行する（ステップ２４、２５、２６）。そして、換気運転が指令されると換気運転を実行し、涼風運転が指令されると涼風運転を実行する（ステップ２７〜３０）。
【００６７】
前記各運転状態について簡単に説明すると、予備暖房運転及び乾燥運転では、暖房乾燥機制御部Ｈ２は、浴室Ｙ内の温度が目標温度になるように浴室暖房乾燥機Ｃの作動を制御し、熱源機制御部Ｈ３は、設定温度の温水を浴室暖房乾燥機Ｃの乾燥暖房用熱交換器２７に循環供給するように温水循環動作を実行する。そして、図７に示すように、浴室空気循環路６４に導入した空気の一部が排気ダクト６７から屋外に排出されるとともに、残りの空気が乾燥暖房用熱交換器５３を通過して加熱されて浴室Ｙ内に戻され、浴室Ｙ内の温度を目標温度に維持するように熱動弁６６と循環ポンプ５８が制御される。
【００６８】
又、前記換気運転では、図８に示すように、浴室空気循環路６４に導入した空気の略全部を排気ダクト６７から屋外に排出する状態で、循環ファン６３を作動させて浴室Ｙ内を換気する換気運転を実行する。前記涼風運転モードでは、循環ファン６３の駆動によりその循環ファン６３を通風作動させて、浴室空気を乾燥暖房用熱交換器５３で温めずに循環通風させる。
【００６９】
そして、この実施形態では、前記排出タイミング判定手段１００が、浴室暖房乾燥機Ｃの動作状態及び前記貯留部９ａにおける中和排水が満杯あるいはそれに近い状態を満杯状態であると検出する満杯検出手段の検出情報に基づいて、前記貯留部９ａが満杯でないときには、前記浴室暖房乾燥機Ｃが作動していないとき及び前記浴室暖房乾燥機Ｃの作動開始後において設定時間経過したときを、前記中和排水を排出するタイミングであると判定し、且つ、前記貯留部９ａが満杯であるときには、前記浴室暖房乾燥機Ｃの作動開始後の設定期間を、前記中和排水を排出するタイミングであると判定する構成となっている。又、前記貯留部９ａが満杯でないときに、浴室暖房乾燥機Ｃ以外の機器で浴室Ｙ内での入浴に使用する機器が動作しているときには、前記中和排水を排出するタイミングであると判定するように構成されている。
【００７０】
具体的には、前記熱源機制御部Ｈ３が、前記給湯動作部Ｅにおける動作状況並びに前記排出手段４３の運転状況に基づいて、前記貯留部９ａにおける中和排水が満杯あるいはそれに近い満杯状態であるか否かを判定するようになっており、その判定結果に基づいて、中和排水を排出するタイミングであるか否かを判定して、中和排水を排出してもよいタイミングで浴室Ｙの洗い場Ｙ１に中和排水を排出させる構成となっている。
従って、この実施形態では、前記熱源機制御部Ｈ３を利用して、前記排出タイミング判定手段１００、前記排出制御手段１０１、及び、満杯検出手段１０３の夫々が構成されている。又、この実施形態では、浴室暖房乾燥機Ｃ及び給湯動作部Ｅが浴室対応設置機器として機能することになる。
【００７１】
次に、熱源機制御部Ｈ３における中和排水の排出用制御動作について具体的に説明する。
図１０に示すように、熱源機制御部Ｈ３は、先ず、中和器９における中和排水の貯留状態が満杯状態であるか否を判別する処理を実行する（ステップ３１）。この判別処理においては、例えば、前回の中和排水の排出処理を実行してから、浴室暖房乾燥機Ｃが運転されるまでの間、言い換えると、浴室暖房乾燥機Ｃから温水要求が指令されるまでの間に、前記給湯動作部Ｅや温水循環用動作部Ｆにおいてバーナの燃焼作動が設定時間以上行われて、中和排水が設定量以上貯留されているおそれがあるか否かを判別するものである。具体例で説明すると、前回の中和排水の排出処理を実行してから浴室暖房乾燥機Ｃが運転されるまでの間に、次の各条件のいずれかが成立していると、中和器９における中和排水の貯留状態が満杯又はそれに近い満杯状態であると判断する。
【００７２】
すなわち、風呂の自動運転を指令する自動スイッチがオン操作されたとき、設定時間（約１０分間）以上の給湯運転が行われたとき、ガス消費量の積算値が設定量を越えているとき、及び、熱負荷の積算値が設定値を超えているときのいずれかの条件が成立していると満杯状態であると判断するのである。尚、前記熱負荷は、入水温度と給湯温度との温度差に給湯流量を掛けた値である。
【００７３】
そして、前記満杯状態でないと判別すると、暖房乾燥機制御部Ｈ２から温水要求の指令がない場合、あるいは、温水要求の指令があった場合であっても浴室暖房乾燥機Ｃが作動を開始してから設定時間（例えば１時間）経過していれば、中和排水を排出するタイミングであると判定して、第１実施形態における排出処理と同様な排出処理を実行して中和器９に貯留されている中和排水を浴室Ｙの洗い場Ｙ１に排出させる（ステップ３２、３３、３４、３７）。このとき、中和器９の貯留部９ａに中和排水が貯留されていなければ、排出ポンプ４５を作動状態に切り換える必要がないので、中和排水が設定量以上貯留されているときにだけ排出させるようにしている。
【００７４】
又、上記した条件が満たされていなくても、浴室Ｙでの湯水の使用状態を判別して、使用状態であれば排出処理を行うようにしている（ステップ３５、３６）。この湯水の使用状態の判別処理は第１実施形態における判別処理と同じである。
【００７５】
前記満杯状態であると判別すると、暖房乾燥機制御部Ｈ２から温水要求の指令があり、浴室暖房乾燥機Ｃが作動を開始してから設定期間内であるときに、中和排水を排出するタイミングであると判定して、上記排出処理と同様な排出処理を実行する（ステップ３８、３９、４０）。前記設定期間としては数分間〜１０分間程度の時間が設定される。温水要求の指令があった場合に、予備暖房運転であれば入浴直前であるか又は入浴中であるから中和排水を排出しても問題ない。又、乾燥運転が指令されている場合であれば、運転開始直後では入浴の後であるか又は濡れた洗濯物が干された後であり、その後の乾燥運転で洗い場Ｙ１も乾燥されることになるから問題ない。
【００７６】
〔第３実施形態〕
次に、本発明に係る第３実施形態を図面に基づいて説明する。
この第３実施形態では、前記排出タイミング判定手段が中和排水を排出してもよいタイミングであるか否かを判定する構成が異なる他は、第１実施形態の構成と同じであるから、異なる構成についてのみ説明し、同じ構成についてはここでは説明は省略する。
【００７７】
すなわち、この実施形態では、前記洗い場Ｙ１における人の不在時期を設定する不在時期設定手段が設けられ、前記排出タイミング判定手段が、前記不在時期設定手段の設定結果に基づいて、前記不在時期であるときに前記中和排水を排出するタイミングであると判定するように構成されている。
【００７８】
説明を加えると、予め、１日のうちで入浴しないと考えられるような設定時間帯（例えば、深夜の午前３時頃の時間帯）を浴室Ｙの洗い場Ｙ１における人の不在時期として予め設定しておき、図１１に示すように、前記運転制御部Ｈ１はマイクロコンピュータにおける時計機能を利用して、時刻が前記設定時間帯に至ると、前記中和排水を排出するタイミングであると判定して、第１実施形態における排出処理と同様な排出処理を実行して中和器９に貯留されている中和排水を浴室Ｙの洗い場Ｙ１に排出させる（ステップ５０、５１）。
【００７９】
又、前記不在時期設定手段として、上記構成に代えて次のように構成するものでもよい。
すなわち、前記浴室Ｙ内で湯水を使用するときに動作する湯水使用機器の動作状態を監視可能な湯水使用機器監視手段が設けられ、前記不在時期設定手段が、前記湯水使用機器監視手段によって監視された過去の前記湯水使用機器の時系列的な動作状態に基づいて、前記湯水使用機器の動作頻度が低い時期を前記不在時期に設定する構成である。前記過去の湯水使用機器の時系列的な動作状態としては、過去の設定期間（１週間）内における浴室Ｙにおける給湯の実行状態の履歴を計測して記憶しておき、その結果から湯水使用機器の動作頻度が最も低い時期を人の不在時期に設定する構成となっている。
【００８０】
具体的には、前記運転制御部Ｈ１が次のような処理を実行する構成となっている。すなわち、図１２に示すように、運転制御部Ｈ１が、浴室Ｙ内で湯水を使用するときの湯水使用機器、すなわち、前記給湯用動作部Ａと給湯用の配管等の給湯用の各装置、及び、前記追焚用動作部Ｂと追焚用の配管類の追焚用の各装置等の動作状況に基づいて、浴室Ｙ内での湯水の使用状態であるか否かを監視しており、１日の時間帯を複数の時間帯に区分けして、その複数の時間帯毎に、前記各操作の運転状況から給湯の実行状態の履歴を計測して給湯運転が行われる頻度を計測して記憶しておく（ステップ６０）。そして、１週間分のデータ計測が行われると、過去１週間分の計測データに基づいて、１日の時間帯の中で給湯運転が行われる頻度が最も低い時間帯を前記不在時期として設定し（ステップ６１、６２）、現在時刻が不在時期として設定された時間帯であれば、前記中和排水を排出するタイミングであると判定して、第１実施形態における排出処理と同様な排出処理を実行して中和器９に貯留されている中和排水を浴室Ｙの洗い場Ｙ１に排出させる（ステップ６３、６４）。
【００８１】
従って、この実施形態では、前記運転制御部Ｈ１を利用して、前記排出タイミング判定手段、前記排出制御手段、前記湯水使用機器監視手段及び前記不在時期設定手段の夫々が構成される。
【００８２】
〔第４実施形態〕
次に、本発明に係る第４実施形態を図面に基づいて説明する。
この第４実施形態では、前記排出タイミング判定手段が中和排水を排出してもよいタイミングであるか否かを判定する構成が異なる他は、第１実施形態の構成と同じであるから、異なる構成についてのみ説明し、同じ構成についてはここでは説明は省略する。
【００８３】
この実施形態では、前記排出タイミング判定手段が、前記浴室対応設置機器としての、浴室Ｙ内において湯水を使用せず動作する湯水非使用機器が動作していると判定したときに、動作開始後の設定期間を、中和排水を排出するタイミングであると判定する構成である。
説明を加えると、この実施形態では、図１３（イ）に示すように、前記湯水非使用機器としての浴室Ｙ用の換気扇７０の動作状態についての情報が運転制御部Ｈ１に入力される構成となっており、運転制御部Ｈ１は、図１３（ロ）に示すように、浴室Ｙ用の換気扇７０がオン状態になり動作を開始してから設定時間が経過するまでの間の設定期間を、前記中和排水を排出するタイミングであると判定して、第１実施形態における排出処理と同様な排出処理を実行して中和器９に貯留されている中和排水を浴室Ｙの洗い場Ｙ１に排出させる（ステップ７０、７１、７２）。
【００８４】
〔別実施形態〕
以下、別実施形態を列記する。
【００８５】
（１）上記第１実施形態では、前記浴室Ｙ内で湯水が使用されている使用状態であるか否かを判別する処理として、自動スイッチがオン操作されて浴槽に湯張りが開始されてから３分経過したとき、追焚スイッチがオン操作されたとき、足し湯スイッチがオン操作されたとき、水量センサにて検出される単位時間あたりの給湯量が設定値以上であることが検出されたとき、及び、給湯を継続して行う時間が設定時間を超えているときの夫々において、湯水使用状態であると判別する構成としたが、このような構成に代えて、次のように構成してもよい。
【００８６】
図１４に示すように、水量センサにて検出される単位時間あたりの給湯量が設定値以上であることが検出されたとき、及び、給湯を継続して行う時間が設定時間を超えているときにだけ湯水使用状態であると判別し、それ以外のときは非使用状態であると判別する（ステップ８０〜８３）。このように構成すると、自動運転等の複雑な制御を行わずに、単に設定温度の湯を給湯するように湯温制御を行うだけの簡単な構成の給湯装置であっても中和排水を適正なタイミングで排出させることができる。
【００８７】
（２）上記第２実施形態では、前記満杯検出手段として、前記熱源機制御部が、風呂の自動運転を指令する自動スイッチがオン操作されたとき、設定時間（約１０分間）以上の給湯運転が行われたとき、ガス消費量の積算値が設定量を越えているとき、及び、熱負荷の積算値が設定値を超えているときのいずれかの条件が成立していると満杯状態であると判断する構成としたが、上記したような複数の条件を備えるものに限らず、そのうちのいずれか１つの条件又は２つ以上のいずれかの条件が成立しているか否かを判断するようにしてもよい。
【００８８】
又、前記満杯検出手段として、上記したような構成に代えて、貯留部の貯留量を検出する水量センサを設けて貯留量を直接検出して、その検出情報に基づいて満杯状態であるか否かを判別する構成としてもよい。
【００８９】
（３）上記第２実施形態では、貯留部において中和排水が満杯あるいはそれに近い状態を満杯状態であると検出する満杯検出手段が設けられ、その満杯検出手段の検出情報に基づいて、貯留部が満杯でないときには、浴室暖房乾燥機が作動していないとき及び浴室暖房乾燥機の作動開始後において設定時間経過したときを、中和排水を排出するタイミングであると判定し、更に、浴室Ｙ内での入浴に使用する機器が動作しているときには、中和排水を排出するタイミングであると判定し、且つ、貯留部が満杯であるときには、浴室Ｙ暖房乾燥機の作動開始後の設定期間を、中和排水を排出するタイミングであると判定する構成としたが、このような構成に代えて次のように構成してもよい。
【００９０】
すなわち、前記満杯検出手段を備えることなく、前記排出タイミング判定手段が、前記浴室暖房乾燥機が作動していないとき、あるいは、前記浴室暖房乾燥機が作動していないとき及び前記浴室暖房乾燥機の作動開始後において設定時間経過したときを、前記中和排水を排出するタイミングであると判定する構成としてもよい。
具体的には、前記熱源機制御部Ｈ３における中和排水の排出用制御動作として、次のような制御を実行する構成である。つまり、図１５に示すように、暖房乾燥機制御部Ｈ２から温水要求の指令がない場合、あるいは、温水要求の指令があった場合であっても浴室暖房乾燥機Ｃが作動を開始してから設定時間（例えば１時間）経過している場合には、中和排水を排出するタイミングであると判定して、中和排水の排出処理を実行する（ステップ９０、９１、９２）。上記した条件が満たされていなくても、浴室Ｙでの湯水の使用状態を判別して、使用状態であれば排出処理を行うようにしている（ステップ９３、９４）。尚、この湯水の使用状態の判別処理は第１実施形態における判別処理と同じである。又、この場合、ステップ９３、９４を実行しない構成としてもよい。この実施形態は、要するに、第２実施形態における図１０に示す処理のうち、ステップ３３〜３７に示される処理だけを実行し、それ以外の処理を実行しない構成である。
【００９１】
又、このような構成に代えて、次のように構成してもよい。
前記満杯検出手段を備えることなく、前記排出タイミング判定手段が、前記浴室Ｙ暖房乾燥機の動作状態に基づいて、前記浴室暖房乾燥機の作動開始後の設定期間を、前記中和排水を排出するタイミングであると判定する構成としてもよい。
具体的には、前記熱源機制御部Ｈ３における中和排水の排出用制御動作として、次のような制御を実行する構成である。つまり、図１６に示すように、暖房乾燥機制御部Ｈ２から温水要求の指令があり、浴室暖房乾燥機Ｃが作動を開始してから設定期間内であるときに、中和排水を排出するタイミングであると判定して中和排水の排出処理を実行する（ステップ１００、１０１、１０３）。前記設定期間としては数分間〜１０分間程度の時間が設定される。この実施形態は、要するに、第２実施形態における図１０に示す処理のうち、図１０におけるステップ３８〜４０だけを実行し、それ以外の処理を実行しない構成である。
【００９２】
（４）上記第４実施形態では、前記湯水非使用機器としての浴室Ｙ用の換気扇の動作状態に基づいて、排出タイミングを判定するようにしたが、前記湯水非使用機器としては、浴室Ｙ用の換気扇に限らず、例えば、浴室Ｙ用の電灯や浴室Ｙ用の床暖房装置等の各種の装置を用いることが可能である。
【図面の簡単な説明】
【００９３】
【図１】熱源システムの全体構成図
【図２】排水用の配管構成を示す図
【図３】制御動作のフローチャート
【図４】制御動作のフローチャート
【図５】第２実施形態の熱源システムを示す斜視図
【図６】第２実施形態の熱源システムの全体構成図
【図７】浴室暖房乾燥機の構成を示す図
【図８】浴室暖房乾燥機の構成を示す図
【図９】第２実施形態の制御動作のフローチャート
【図１０】第２実施形態の制御動作のフローチャート
【図１１】第３実施形態の制御動作のフローチャート
【図１２】第３実施形態の制御動作のフローチャート
【図１３】第４実施形態の構成図及び制御動作のフローチャート
【図１４】別実施形態の制御動作のフローチャート
【図１５】別実施形態の制御動作のフローチャート
【図１６】別実施形態の制御動作のフローチャート
【符号の説明】
【００９４】
９              中和器
９ａ            貯留部
４３            排出手段
１００          排出タイミング判定手段
１０１          排出制御手段
７０            湯水非使用機器
Ａ，Ｂ、        湯水使用機器
ｇ１，ｇ２      燃焼用バーナ
Ｎ２            潜熱回収型熱交換器
Ｙ              浴室
【図１】
2006125805.tif 000003
【図２】
2006125805.tif 000004
【図３】
2006125805.tif 000005
【図４】
2006125805.tif 000006
【図５】
2006125805.tif 000007
【図６】
2006125805.tif 000008
【図７】
2006125805.tif 000009
【図８】
2006125805.tif 000010
【図９】
2006125805.tif 000011
【図１０】
2006125805.tif 000012
【図１１】
2006125805.tif 000013
【図１２】
2006125805.tif 000014
【図１３】
2006125805.tif 000015
【図１４】
2006125805.tif 000016
【図１５】
2006125805.tif 000017
【図１６】
2006125805.tif 000018